(57)【要約】    【課題】表示態様の多様化を図ることができると共に、周辺との意匠的な調和を容易に図ることができるようにする。    【解決手段】ハーフミラー３４と、ハーフミラー３４に裏側から光を照射する第１発光素子３５ａ，３５ｂとを含む発光表示手段２５を備え、ハーフミラー３４の前面に、光の照射により発光する表示部３６が設けられた光透過体３７を配置し、光透過体３７に外周側から光を照射して表示部３６を発光させる第２発光素子４０を設ける。光透過体３７はその前面又は裏面に表示部３６を凹凸状に備えている。【選択図】  図４
2010187818.tif 000002
【特許請求の範囲】
【請求項１】
ハーフミラー（３４）と、該ハーフミラー（３４）に裏側から光を照射する第１発光素子（３５ａ，３５ｂ）とを備えた遊技機器用の発光表示装置において、前記ハーフミラー（３４）の前面に、光の照射により発光する表示部（３６）が設けられた光透過体（３７）を配置し、該光透過体（３７）に外周側から光を照射して前記表示部（３６）を発光させる第２発光素子（４０）を設けたことを特徴とする遊技機器用の発光表示装置。
【請求項２】
前記光透過体（３７）はその前面又は裏面に前記表示部（３６）を凹凸状に備えたことを特徴とする請求項１に記載の遊技機器用の発光表示装置。
【請求項３】
前記各発光素子（３５ａ，３５ｂ，４０）は発光色が異なることを特徴とする請求項１又は２に記載の遊技機器用の発光表示装置。
【請求項４】
前記ハーフミラー（３４）と、裏面に前記表示部（３６）が形成された前記光透過体（３７）とを積層し、前記第２発光素子（４０）は前記ハーフミラー（３４）の前面近傍で該ハーフミラー（３４）と略平行に前記光透過体（３７）に対して光を照射することを特徴とする請求項１〜３の何れかに記載の遊技機器用の発光表示装置。
【請求項５】
前記ハーフミラー（３４）と前記第１発光素子（３５ａ，３５ｂ）との間に光透過性を有する表示シート（５９）を設けたことを特徴とする請求項１〜４の何れかに記載の遊技機器用の発光表示装置。
【請求項６】
光透過性を有する第１表示領域（７３）と光透過性を有する第１色が付された第１色着色領域（７４）とを含む前記表示シート（５９）と、光透過性を有する第２表示領域（７５）と光透過性を有し且つ前記第１色と異なる第２色が付された第２色着色領域（７６）とを含む前記表示シート（５９）とを備え、前記第１発光素子（３５ａ，３５ｂ）は、前記第１色に略近似する発光色で発光する第１色発光素子（３５ａ）と、前記第２色に略近似する発光色で発光する第２色発光素子（３５ｂ）とを備え、前記第１色発光素子（３５ａ）が発光したときに前記第２表示領域（７５）が前記第１色に略近似する色で発光し、前記第２色発光素子（３５ｂ）が発光したときに前記第１表示領域（７３）が前記第２色に略近似する色で発光することを特徴とする請求項５に記載の遊技機器用の発光表示装置。
【請求項７】
前記表示シート（５９）は１枚であり、該表示シート（５９）の片面に前記第１色着色領域（７４）と前記第２色着色領域（７６）とを重ねて印刷し、又は該表示シート（５９）の一側面に前記第１色着色領域（７４）を、他側面に前記第２色着色領域（７６）を夫々印刷したことを特徴とする請求項６に記載の遊技機器用の発光表示装置。
【請求項８】
前記ハーフミラー（３４）と前記第１発光素子（３５ａ，３５ｂ）との間に拡散シート（７１）を設けたことを特徴とする請求項１〜７の何れかに記載の遊技機器用の発光表示装置。
【請求項９】
請求項１〜８の何れかに記載の遊技機器用の発光表示装置を備えたことを特徴とする遊技機。
【発明の詳細な説明】
【技術分野】
【０００１】
本発明は、遊技機器用の発光表示装置及び遊技機に関するものである。
【背景技術】
【０００２】
遊技機には、パチンコ機、アレンジボール機等の弾球遊技機とスロットマシンとがある。これらの遊技機、例えばパチンコ機では、特別図柄の変動中に、その変動後の特別図柄の大当たり態様での停止を予告する予告演出等にハーフミラー式の発光表示手段が用いられている（特許文献１）。
【０００３】
即ち、この種のパチンコ機では、遊技盤の遊技領域に特別図柄始動手段と特別図柄表示手段とが設けられると共に、ハーフミラーと、その裏側に配置された複数個の発光体とを含む発光表示手段が設けられている。そして、特別図柄始動手段が遊技球を検出することを条件に特別図柄表示手段の特別図柄を所定時間変動させて大当たり態様、外れ態様の何れかで停止させ、その特別図柄が大当たり態様で停止した場合に大入賞手段を開放させる等、遊技者に有利な利益状態を発生させる。一方、特別図柄が図柄変動に際してスーパーリーチ等の特定の変動パターンで変動する場合に、特別図柄の変動中に発光表示手段の発光体を発光させて変動後の特別図柄の大当たり態様での停止等を予告演出する。
【先行技術文献】
【特許文献】
【０００４】
【特許文献１】特開２００３−９３６２６号公報
【発明の概要】
【発明が解決しようとする課題】
【０００５】
このハーフミラー式の発光表示手段では、ハーフミラーが前からの光を反射し透過しないので、通常はハーフミラーの前面が鏡面状態にある。そして、裏側の発光体が発光すれば、ハーフミラーがその光を透過するため、ハーフミラーを通して内部の発光状態を視認できるようになり、遊技者に対して意外性を持たせる演出をすることができる。
【０００６】
しかし、従来の発光表示手段は、ハーフミラーの裏側の発光体が発光したときに、その発光体の光がハーフミラーを透過して前面から視認できるに過ぎないため、発光表示の表示態様の変化が少ないという欠点がある。また通常はハーフミラーの前面が鏡面状になっているため、発光表示手段とその周辺の遊技部品との意匠的な調和を図り難いという欠点がある。
【０００７】
本発明は、このような従来の問題点に鑑み、表示態様の多様化を図ることができると共に、周辺との意匠的な調和を容易に図ることができる遊技機器用の表示装置及び遊技機を提供することを目的とする。
【課題を解決するための手段】
【０００８】
本発明に係る遊技機器用の表示装置は、ハーフミラー３４と、該ハーフミラー３４に裏側から光を照射する第１発光素子３５ａ，３５ｂとを含む発光表示手段２５を備えた遊技機において、前記ハーフミラー３４の前面に、光の照射により発光する表示部３６が設けられた光透過体３７を配置し、該光透過体３７に外周側から光を照射して前記表示部３６を発光させる第２発光素子４０を設けたものである。
【０００９】
また本発明に係る遊技機は、この遊技機器用の表示装置を備えたものである。
【発明の効果】
【００１０】
本発明によれば、ハーフミラー３４を使用しているにも拘わらず、表示態様の多様化を図ることができ、また周辺との意匠的な調和を容易に図ることができる利点がある。
【図面の簡単な説明】
【００１１】
【図１】本発明の第１の実施形態を示すパチンコ機の斜視図である。
【図２】同遊技盤の正面図である。
【図３】同第１発光表示手段の分解斜視図である。
【図４】同第１発光表示手段の断面図である。
【図５】同第１発光表示手段の正面断面図である。
【図６】同第１発光表示手段の正面断面図である。
【図７】同発光状態の説明図である。
【図８】本発明の第２の実施形態を示す第１発光表示手段の断面図である。
【図９】同表示シートの正面図である。
【図１０】同発光状態の説明図である。
【図１１】本発明の第３の実施形態を示す第１発光表示手段の断面図である。
【図１２】本発明の第４の実施形態を示す第１発光表示手段の断面図である。
【図１３】本発明の第５の実施形態を示す第１発光表示手段の断面図である。
【図１４】同正面断面図である。
【図１５】本発明の第６の実施形態を示す第１発光表示手段の断面図である。
【図１６】本発明の第７の実施形態を示す第１発光表示手段の断面図である。
【図１７】本発明の第８の実施形態を示す表示シートの正面図である。
【図１８】同表示シートの正面図である。
【図１９】同表示シートの正面図である。
【図２０】同表示シートの正面図である。
【図２１】同表示シートの正面図である。
【発明を実施するための形態】
【００１２】
以下、本発明の実施形態を図面に基づいて詳述する。図１〜図７は本発明をパチンコ機に採用した第１の実施例を例示している。パチンコ機１は図１に示すように矩形状の外枠２と、この外枠２の前側にヒンジ３により縦軸廻りに開閉自在に枢着された前枠４とを備えている。前枠４の前側にはガラス扉５と前面板６とが上下に配置され、前枠４に対してヒンジ３と同じ側のヒンジ７により縦軸廻りに開閉自在に枢支されている。
【００１３】
前面板６の前側には発射用の遊技球を貯留する球供給皿８が配置され、その側方に遊技球を発射する発射手段（図示省略）の発射ハンドル９が設けられている。ガラス扉５の裏側には、このガラス扉５に対応するように前枠４に遊技盤１０（図２参照）が着脱自在に装着されている。
【００１４】
遊技盤１０の前面には、図２に示すように、発射手段から発射された遊技球を案内するガイドレール１１が略円弧状に配置されると共に、そのガイドレール１１の内側の遊技領域１２に画像表示手段１３、普通図柄始動手段１４、特別図柄始動手段１５、大入賞手段１６、普通入賞手段１７、普通図柄表示手段１８、特別図柄表示手段１９等の各種の遊技部品が配置されている。
【００１５】
画像表示手段１３は液晶式等の画像表示部２０と、画像表示部２０に対応する表示窓２１を有し且つ遊技盤１０の前面に装着された前飾り枠２２とを備えている。前飾り枠２２には普通図柄表示手段１８と特別図柄表示手段１９とが装着されると共に、発光表示孔２３，２４に対応して第１発光表示手段２５、第２発光表示手段２６が装着されている。
【００１６】
普通図柄表示手段１８は普通図柄を変動表示するためのもので、複数種類の普通図柄（例えば２種類の「○」「×」）に対応する複数個の発光素子により構成されており、普通図柄始動手段１４が遊技球を検出することを条件に２個の発光素子が交互に点灯するように所定時間点滅して、普通図柄始動手段１４の遊技球の検出時に抽選した乱数値が予め定められた当たり判定値と一致した場合に当たり態様の「○」側の発光素子が点灯し、それ以外の場合に外れ態様の「×」側の発光素子が点灯して停止するようになっている。
【００１７】
特別図柄表示手段１９は発光部位の変化等で特別図柄を変動表示可能なセグメント式等の表示手段により構成されており、特別図柄始動手段１５が遊技球を検出することを条件に特別図柄を所定時間変動表示して、特別図柄始動手段１５の遊技球の検出時に抽選された乱数値が予め定められた大当たり乱数値と一致した場合に所定の大当たり態様で、それ以外の場合に外れ態様で停止するようになっている。
【００１８】
画像表示部２０は特別図柄の変動中は演出図柄２８ａ〜２８ｃとその背景画像とを表示し、また特定の遊技状態の場合に発光表示手段２５，２６の発光表示と同期して予告演出画像を表示する。
【００１９】
演出図柄２８ａ〜２８ｃは画像表示部２０の適当な位置に複数個、例えば３個表示され、抽選で決定された所定の演出図柄変動パターンを経て所定時間変動した後、特別図柄の変動終了に同期して所定の順序で順次停止する。なお、演出図柄２８ａ〜２８ｃの変動後の停止図柄は、特別図柄表示手段１９の特別図柄が大当たり態様で停止する場合には全てが揃う大当たり演出態様となり、特別図柄が外れ態様で停止する場合には少なくとも一部が異なる外れ演出態様となる。
【００２０】
例えば、演出図柄２８ａ〜２８ｃには０〜９までの数字図柄が使用されており、特別図柄が大当たり態様で停止する場合には演出図柄２８ａ〜２８ｃは「７・７・７」等の大当たり演出態様で停止し、特別図柄が外れ態様で停止する場合には演出図柄２８ａ〜２８ｃは「２・４・５」等の外れ演出態様で停止する。
【００２１】
特別図柄始動手段１５は固定式入賞口２９と電動チューリップ等の可変式入賞口３０とを上下に備えている。可変式入賞口３０は普通図柄表示手段１８の変動後の普通図柄が当たり態様を停止表示したときに所定時間開放するようになっている。大入賞手段１６は大入賞口３１を開閉する開閉板３２を有し、特別図柄が大当たり態様で停止したときに開閉板３２が所定回数開閉して、その開放時に遊技球が大入賞口３１に入賞し易くなるようにする。
【００２２】
第１発光表示手段２５は図３〜図６に示すように、前面側からの光を遮光し裏面側からの光を透過するハーフミラー３４と、このハーフミラー３４の裏側に配置され且つハーフミラー３４に対して裏側から光を照射する複数種類の第１発光素子３５ａ，３５ｂと、光の照射により発光する第１表示部３６が設けられ且つハーフミラー３４の前側に配置された光透過体３７と、この光透過体３７の前側に配置された拡大レンズ３９と、光透過体３７に外周側から光を照射して発光させる第２発光素子４０と、これらを収容し支持する支持ケース４１とを備え、拡大レンズ３９が前飾り枠２２の発光表示孔２３に嵌合した状態で前飾り枠２２の裏側に係止爪等の固定手段４２を介して着脱自在に装着されている。
【００２３】
支持ケース４１は前後方向に着脱自在に結合された前ケース体４３と後ケース体４４とに分割されている。各ケース体４３，４４には、長手方向の略中央に形成された開口４３ａ，４４ａと、外周側の略全周を取り囲む周壁部４３ｂ，４４ｂとを有し、その収容部側で両ケース体４３，４４が取り付け部４５、位置決め突起４６、ネジ等を介して着脱自在に結合されている。
【００２４】
ハーフミラー３４は薄い円板状で、外周が後ケース体４４の開口４４ａの外周縁に当接されている。光透過体３７は無色透明（又は着色透明）なアクリル等の光透過性を有する材料により、ハーフミラー３４よりも小径で開口４３ａ，４４ａよりも大径の円板状に構成されている。この光透過体３７は前面と裏面とが略平行であって、ハーフミラー３４と拡大レンズ３９とに面接触状に当接して積層され、外周部がハーフミラー３４、拡大レンズ３９を介して両ケース体４３，４４により前後両側から挟持されている。ハーフミラー３４、光透過体３７の外周には、周壁部４３ｂ，４４ｂに当接して支持ケース４１に対する周方向の相対位置を決めるための位置決め部３４ａ，３７ａが設けられている。
【００２５】
第１表示部３６は模様、文字、図形その他のものからなり、光透過体３７の裏面に設けられている。第１表示部３６は裏面からＶ字状に凹入する凹入溝４７により形成され、その光透過体３７の径方向（及び板厚方向）から光を照射したときに、その光を乱反射して発光するようになっている。
【００２６】
なお、第１表示部３６は凹入溝４７により形成されているが、凹凸状に形成してもよいし、印刷等で形成してもよい。ただし、それらの場合でも、第１発光素子３５ａ，３５ｂからの光を前面に透過する光透過性を有することが望ましい。
【００２７】
拡大レンズ３９は光透過体３７の第１表示部３６を拡大表示するためのもので、前レンズ４８と裏レンズ４９との二枚の凸レンズを組み合わせて構成されている。前レンズ４８は前側に突出する球面状であり、その外周側の周縁部５０の裏側に裏レンズ４９が嵌合されている。なお、裏レンズ４９は、裏側が平坦状になっている。拡大レンズ３９は前レンズ４８の周縁部５０が前ケース体４３の開口４３ａの裏側に当接されている。
【００２８】
第１発光素子３５ａ，３５ｂは前面発光式の発光ダイオード等により構成されている。この第１発光素子３５ａ，３５ｂは発光色の違う２種類を対として、ハーフミラー３４に対して裏側から略均一に光を照射するように第１発光基板５２に複数個装着されている。なお、第１発光素子３５ａは例えば赤色発光用であり、第１発光素子３５ｂは例えば青色発光用であって、この両第１発光素子３５ａ，３５ｂは近接して配置されている。第１発光基板５２は後ケース体４４の周壁部４４ｂ内に嵌合して取り付け部５３に裏側からネジ等により着脱自在に固定されている。
【００２９】
第２発光素子４０は側面発光式の発光ダイオード等により構成され、光透過体３７の両側で前ケース体４３の裏側に配置された第２発光基板５４に複数個装着されている。この第２発光素子４０は例えば白色発光用であり、第１発光素子３５ａ，３５ｂとは異なる発光色となっている。
【００３０】
第２発光基板５４は光透過体３７の外周面に沿って円弧状に形成され、この第２発光基板５４の前面で且つ光透過体３７側の端縁に、光透過体３７の周方向に略等間隔をおいて複数個の第２発光素子４０が装着されている。
【００３１】
第２発光基板５４の前面は、ハーフミラー３４の前面と略面一状であり、この第２発光基板５４の前面に近接して第２発光素子４０が装着されている。第２発光素子４０はハーフミラー３４の前面近傍で光透過体３７に対してハーフミラー３４と略平行に光を照射するようになっている。第２発光基板５４は取り付け部４５、位置決め突起４６を介して前ケース体４３に固定されている。各発光基板５２，５４の裏面にはコネクタ５５，５６が装着されている。
【００３２】
第２発光表示手段２６は第１発光表示手段２５と略同様の構造であって、第１発光表示手段２５に比較して小径に構成されている。この第２発光表示手段２６は１個の発光基板５７に複数個（例えば３個）装着され、その発光基板５７を介して前飾り枠２２の裏面に着脱自在に装着されている。なお、第２発光表示手段２６は第１発光表示手段２５とは異なる構成であってもよい。
【００３３】
このパチンコ機では、遊技中に次のような演出を行う。即ち、特別図柄始動手段１５が遊技球を検出すると、主制御基板側で乱数値を抽選して大当たりか否かの判定を行う。そして、判定結果が大当たりであれば、複数種類の大当たり変動パターンの何れかを選択すると共に、演出図柄２８ａ〜２８ｃの停止態様を決定し、また外れであれば複数種類の外れ変動パターンの何れかを選択する。
【００３４】
続いて特別図柄表示手段１９の特別図柄が変動を開始し、所定の変動パターンで所定時間変動した後に、大当たり、外れの判定結果に応じて大当たり態様、外れ態様の何れかで停止する。そして、大当たりの場合には、特別図柄が大当たり態様で停止した後に、大入賞手段１６が複数回開放する等、遊技者は有利な状態で遊技を継続できる。
【００３５】
一方、主制御基板側で演出図柄２８ａ〜２８ｃの停止態様、変動パターンを決定すると、演出制御基板へと夫々のコマンドを送信する。そして、演出制御基板側では変動パターンコマンドに基づいて、特別図柄の変動に同期して画像表示部２０の演出図柄２８ａ〜２８ｃを変動制御し、演出図柄２８ａ〜２８ｃを所定の変動パターンに従って所定時間変動する。その後、各演出図柄２８ａ〜２８ｃは左、右、中等の順序で停止状態に近い揺れ変動に移行し、停止コマンドに従って大当たり演出態様、外れ演出態様の何れかで最終的に停止し確定する。また遊技中は画像表示部２０に演出図柄２８ａ〜２８ｃの背景画像が表示される。
【００３６】
主制御基板で大当たり変動パターンを選択した場合、大当たり変動パターンの変動時間に近い特定のリーチあり外れ変動パターンの一部又は全部を選択した場合には、予告演出を行うか否かを決定する。そして、予告演出を決定すれば、演出図柄２８ａ〜２８ｃがリーチになった後に、第１発光表示手段２５の各発光素子３５ａ，３５ｂ，４０が発光して光透過体３７に光を照射する発光演出と、画像表示部２０に予告演出画像を表示する画像演出との組み合わせにより予告演出を行う。
【００３７】
第１発光表示手段２５の第１発光素子３５ａ，３５ｂ、第２発光素子４０は通常は発光していないが、予告演出に際しては、その第１発光素子３５ａ，３５ｂ、第２発光素子４０の何れか１つが発光するか、又は第１発光素子３５ａ，３５ｂ、第２発光素子４０の２つ若しくは３つが組み合わせ発光する。
【００３８】
例えば、第２発光素子４０が白色発光すると、その光が光透過体３７に対して径方向の両側から入射するので、光透過体３７の裏面に彫刻された第１表示部３６の凹入溝４７がその光を乱反射する。このため図７に示すように光透過体３７の第１表示部３６が、その両側から照射される光を乱反射して発光状態となり、その発光状態の第１表示部３６が拡大レンズ３９を介して拡大表示されることになる。なお、図７では発光状態を斜線で示す。
【００３９】
このようにハーフミラー３４の前面に、第１表示部３６を有する光透過体３７を設け、この光透過体３７に外周側から光を照射して第１表示部３６を発光させる第２発光素子４０を設けることにより、第１発光素子３５ａ，３５ｂによる発光表示の他に、第２発光素子４０による光透過体３７の第１表示部３６の発光表示が可能となり、表示態様の多様化を図ることができる。
【００４０】
また第２発光素子４０を連続発光させたときには、第１発光表示手段２５の前面に第１表示部３６を連続的に発光表示でき、第２発光素子４０を点滅発光させたときには、第１表示部３６を間欠的に点滅表示できるので、第２発光素子４０の発光態様によって第１表示部３６の表示態様に変化を持たせることも可能である。しかも、光透過体３７の裏面に接触又は近接してハーフミラー３４があり、このハーフミラー３４により前から裏側への光の拡散を阻止できるため、光透過体３７の第１表示部３６をより明瞭に発光させることができる。
【００４１】
またハーフミラー３４の前面に光透過体３７があるため、ハーフミラー３４が露出する従来に比較して、第１発光表示手段２５とその周辺部分を構成する前飾り枠２２との意匠的な調和も容易に図ることができる。
【００４２】
第２発光素子４０が消灯して第１発光素子３５ａが赤色発光するか、第１発光素子３５ｂが青色発光すると、ハーフミラー３４が裏側からの光を透過するので、第１発光表示手段２５の前面側から拡大レンズ３９、光透過体３７、ハーフミラー３４を介して第１発光素子３５ａの赤色発光状態、又は第１発光素子３５ｂの青色発光状態を視認できる。このため第１発光表示手段２５の前面を円形状、その他の所定形状で赤色又は青色で発光させることができる。
【００４３】
このときハーフミラー３４の前面には第１表示部３６が彫刻された光透過体３７があり、第１発光素子３５ａ，３５ｂからの光がハーフミラー３４を介して光透過体３７に裏面から照射する。しかし、光透過体３７はその第１表示部３６で第１発光素子３５ａ，３５ｂからの光を乱反射するが、第１表示部３６以外の部分は第１発光素子３５ａ，３５ｂからの光を乱反射することなく透過する。このためハーフミラー３４の前面に第１表示部３６を有する光透過体３７があるにも拘わらず、光透過体３７の第１表示部３６によって第１発光素子３５ａ，３５ｂからの光が遮断されることは殆どなく、光透過体３７の第１表示部３６に関係なく第１発光素子３５ａ，３５ｂの発光色で第１発光表示手段２５の前面を発光させることができる。
【００４４】
拡大レンズ３９は前レンズ４８と裏レンズ４９との二枚の凸レンズを前後に重ね合わせて構成しているので、個々のレンズ４８，４９の厚さを薄くしながら十分な倍率を確保することができる。またハーフミラー３４と拡大レンズ３９との間に光透過体３７を積層状に介在し、ハーフミラー３４及び拡大レンズ３９の外周側を前後方向に挟持しているため、ハーフミラー３４と光透過体３７と拡大レンズ３９とを簡単な構造で確実に固定することができる。
【００４５】
図８〜図１０は本発明の第２の実施例を例示する。この実施例では、図８に示すようにハーフミラー３４の裏面に直接又は間隔をおいて表示シート５９が設けられている。表示シート５９は光透過性を有する透明なシート材からなり、この表示シート５９には光透過性を有する第２表示部６０が印刷等により付されている。なお、この実施例では表示シート５９はハーフミラー３４の裏面に貼着されているが、両者を別々にしてハーフミラー３４の裏面に表示シート５９を重ねて配置してもよい。
【００４６】
第２表示部６０は図９に示すように、光透過体３７に刻印された家紋等の第１表示部３６とは異なる文字、図柄等の表示、例えば「剣」の文字が使用されている。この第２表示部６０はその全部又は一部が第１表示部３６と前後に重なるように、第１表示部３６と略同じ中央部分に設けられている。そして、第２表示部６０は第１発光素子３５ａ，３５ｂの発光色とは異なり、しかも第１発光素子３５ａ，３５ｂが赤色発光、青色発光したときにハーフミラー３４の照明を損なわないように適度な光透過性を有するものとなっており、第１発光素子３５ａ，３５ｂの発光色と区別して視認できるようになっている。なお、第２表示部６０は第１発光素子３５ａ，３５ｂの発光時にハーフミラー３４を介して第２表示部６０を透視可能になるのであれば、光透過性のないものでもよい。他の構成は第１の実施例と同様である。
【００４７】
この場合には、第１発光素子３５ａが赤色発光し、又は第１発光素子３５ｂが青色発光すれば、その光が表示シート５９の第２表示部６０を除く部分を透過するため、図１０に斜線で示すように表示シート５９の第２表示部６０を除く部分が赤色又は青色に発光する。一方、第２表示部６０は光透過性を有するが、第１発光素子３５ａ，３５ｂとは異なる金色等の色で表示されているため、第１発光素子３５ａ，３５ｂの発光色の影響を受けるものの、周辺の赤色又は青色とは異なる色で発光することになる。
【００４８】
従って、第１発光素子３５ａ，３５ｂの何れかを発光させることにより、赤色又は青色の発光部分の中央に、赤色又は青色の影響を受けながらも金色等の所定の色で発光する第２表示部６０を表示することができる。しかも、第１発光素子３５ａ，３５ｂの発光色の違いによっても表示態様の多様化を図ることができる。
【００４９】
図１１は本発明の第３の実施例を例示する。この実施例では、図１１に示すように表示シート５９はハーフミラー３４の裏側に積層され、後ケース体４４との間で保持されている。表示シート５９の第２表示部６０は、光透過性を有し且つ第１発光素子３５ａ，３５ｂの一方の発光色と同系色により表示されている。例えば、第１発光素子３５ａが赤色発光、第１発光素子３５ｂが青色発光の場合には、第２表示部６０はその一方と同系色の例えば赤色系で表示されている。他の構成は第２の実施例と略同じである。
【００５０】
このようにすれば、第１発光素子３５ａ，３５ｂの内、第２表示部６０の色と同系の発光色を有する第１発光素子３５ａが発光したときには、第２表示部６０が視認し難くなり、第１発光表示手段２５の前面の略全体がその赤色の発光色で発光する。そして、第２表示部６０と異なる青色の発光色で第１発光素子３５ｂが発光したときに、その青色の発光色で発光領域の略中央に第２表示部６０の「剣」の文字を発光表示することができる。
【００５１】
図１２は本発明の第４の実施例を示し、各種の拡大レンズ３９等を例示する。図１２（ａ）の拡大レンズ３９は、略同一の肉厚を有する球面カバー６２と、この球面カバー６２の裏側に嵌合された凸レンズ６３とにより構成されている。図１２（ｂ）の拡大レンズ３９は単一の凸レンズ６４により構成されている。図１２（ｃ）では、光透過体３７の前面に拡大機能のない前カバー６１が設けられている。
【００５２】
光透過体３７の前面に拡大レンズ３９を設けるに際しても、その拡大レンズ３９には図図１２（ａ）（ｂ）にも例示するように各種のものがある。また図１２（ｃ）に示すように光透過体３７の前面に単なる前カバー６１を設けるだけでもよい。勿論、拡大レンズ３９、前カバー６１を省略して、光透過体３７を直接視認するように構成することも可能である。
【００５３】
図１３、図１４は本発明の第５の実施例を例示する。この実施例の第１発光表示手段２５では、第１発光素子３５ａ，３５ｂ、第２発光素子４０には前面発光式の発光ダイオードが使用され、その第１発光素子３５ａ，３５ｂがハーフミラー３４に対応して発光基板６５に複数個装着され、この第１発光素子３５ａ，３５ｂの装着領域の外周の一部に、周方向に複数個の第２発光素子４０が装着されている。
【００５４】
また発光基板６５には、第１発光素子３５ａ，３５ｂを取り囲み且つ第１発光素子３５ａ，３５ｂと第２発光素子４０とを区画するリング状の区画壁６６が装着されると共に、この区画壁６６を外周から取り囲む支持ケース４１が、その外周に近接して略同心状に装着されている。支持ケース４１には、その周壁の一部が外側に膨らみ且つ第２発光素子４０を取り囲むように照射路６７が形成されている。
【００５５】
拡大レンズ３９は支持ケース４１の開口側に裏側から嵌合され、また区画壁６６と拡大レンズ３９との間にハーフミラー３４、光透過体３７が積層状に介在されている。照射路６７は第２発光素子４０からの光を外周側端面から光透過体３７内に径方向に入射させるためのものであり、第２発光素子４０と光透過体３７との間に、第２発光素子４０からの光を光透過体３７に対して径方向に反射させるための反射面６８を有する。他の構成は第１〜第４の実施例と同様である。従って、ハーフミラー３４の裏面に表示シート５９を設けてもよいし、設けなくてもよい。
【００５６】
この実施例に例示するように、光透過体３７に対してその外周側端面から径方向に第２発光素子４０の光を照射するに当たっても、その第２発光素子４０を第１発光素子３５ａ，３５ｂと共に支持ケース４１の裏面側の発光基板６５に装着して、反射面６８を介して照射するようにしてもよい。
【００５７】
このようにすれば、発光基板６５の数を削減できる等、部品点数を少なくでき、また各発光素子３５ａ，３５ｂ，４０を１個のコネクタ、ハーネスを介して外部の制御系に接続することができる。更にこのような構造にすれば、一枚の発光基板６５に複数個の第２発光表示手段２６を設けるような場合に非常に便利である。
【００５８】
図１５は本発明の第６の実施例を例示する。この実施例では、ハーフミラー３４の裏側に表示室６９が設けられ、この表示室６９にハーフミラー３４と対向して第２表示部６０が設けられると共に、表示室６９の外周に、この表示室６９を照明する第１発光素子３５が設けられている。
【００５９】
支持ケース４１を構成する後ケース体４４には後壁７０が設けられ、この後壁７０の前面に印刷その他で第２表示部６０が設けられている。なお、第２表示部６０はシートに印刷して後壁７０に貼付してもよい。第１発光素子３５は表示室６９の外周で後壁７０の前面に装着された第１発光基板５２に装着され、表示室６９内を略均一に照明するように周方向に複数個設けられている。なお、第１発光素子３５は発光色の違うものを複数種類設けてもよい。
【００６０】
この場合には、第２表示部６０の発光表示に際しては、第１発光素子３５が発光すると、その光により表示室６９がハーフミラー３４の前面側よりも明るく照明される。これにより表示室６９の後壁７０側の第２表示部６０が明るく照明され、その光がハーフミラー３４を介して前面側に漏れるので、第１発光表示手段２５の前側から見れば、拡大レンズ３９、光透過体３７、ハーフミラー３４を介して第２表示部６０を見ることができる。
【００６１】
このように第１発光素子３５の発光時にハーフミラー３４の裏面側の第２表示部６０を発光表示し、その発光表示状態の第２表示部６０をハーフミラー３４を介して前面側から見るに当たっても、必ずしもハーフミラー３４と第１発光素子３５との間に第２表示部６０を設ける必要はなく、第１発光素子３５により第２表示部６０を前側から照明する構成を採用してもよい。
【００６２】
図１６は本発明の第７の実施例を例示する。この実施例では、ハーフミラー３４の裏側に拡散シート７１が設けられ、この拡散シート７１に第２表示部６０が印刷等により設けられている。拡散シート７１は光透過性を有すると共に、裏側から照射された光を乱反射させる性質を有する。他の構成は第１〜第６の実施例と略同様である。
【００６３】
このようにハーフミラー３４と第１発光素子３５ａ，３５ｂとの間に拡散シート７１を設けることにより、第１発光素子３５ａ，３５ｂからの光が照射する領域の全体を第２表示部６０を含めて略均一に発光させることができる。なお、第２表示部６０のない拡散シート７１を使用してもよい。
【００６４】
図１７〜図２１は本発明の第８の実施例を例示する。この実施例では、図１７、図１８に示すように、光透過性を有する無色透明の１枚の表示シート５９の片面に、光透過性を有する無色透明の第１表示領域７３と、光透過性を有する第１色が付された第１色着色領域７４と、光透過性を有する無色透明の第２表示領域７５と、光透過性を有し且つ第１色と異なる第２色が付された第２色着色領域７６とが重ねて設けられている。
【００６５】
表示シート５９の裏側に配置される第１発光素子３５ａ，３５ｂには、第１色に略近似する発光色で発光する第１色発光素子３５ａと、第２色に略近似する発光色で発光する第２色発光素子３５ｂとが配置されている。
【００６６】
そして、第１色発光素子３５ａ、第２色発光素子３５ｂの発光に際しては、第１色発光素子３５ａが発光したときに第２表示領域７５が第１色に略近似する色で発光し、第２色発光素子３５ｂが発光したときに第１表示領域７３が第２色に略近似する色で発光するようになっている。
【００６７】
例えば第１色は赤であり、第２色は第１色と異なる緑である。なお、第１色、第２色は他のでもよい。図１７に示すように、第１表示領域７３は例えば「カッパ」の文字が表示され、第１色着色領域７４は第１表示領域７３の「カッパ」文字を除く領域に設けられ、全体が赤色に印刷されている。また図１８に示すように、第２表示領域７５は例えば「確定」の文字が表示され、その一部が第１表示領域７３、第１色着色領域７４と重なるように設けられている。第２色着色領域７６は第２表示領域７５を縁取る縁取り部７６ａと、この縁取り部７６ａから放射状に延びる放射状部７６ｂとを有し、第１色着色領域７４等に重ねて緑色に印刷されている。
【００６８】
従って、表示シート５９には、図１９に示すように第１表示領域７３、第２表示領域７５、第１色着色領域７４、第２色着色領域７６が重合して、第１表示領域７３と第２表示領域７５との重合によりできる無色透明部７８と、第１表示領域７３と第２色着色領域７６との重合によりできる第２色着色部７９と、第２表示領域７５と第１色着色領域７４の重合によりできる第１色着色部８０と、第１色着色領域７４と第２色着色領域７６との重合により暗部８１とが複雑に入り組んで各表示部７３，７５が判然としない模様となっている。
【００６９】
なお、この実施例では、１枚の表示シート５９の片面に第１色着色領域７４と第２色着色領域７６とを重ねて印刷しているが、１枚の前記表示シート５９の一側面に第１色着色領域７４を、他側面に第２色着色領域７６を夫々印刷してもよいし、２枚の表示シート５９に別々に印刷して重ねて配置してもよい。他の構成は各実施例と略同じである。
【００７０】
このような構成にすれば、第１色発光素子３５ａを発光させたときに、図２０に示すようにハーフミラーを通して第１色の赤色で第２表示領域７５の「確定」の文字を発光表示でき、また第２色発光素子３５ｂを発光させたときに、図２１に示すように第２色の緑色で第１表示領域７３の「カッパ」の文字を発光表示できるため、更に変化に富んだ演出が可能である。
【００７１】
即ち、第１色発光素子３５ａが第１色の赤色で発光したときには、第１表示領域７３が第１色発光素子３５ａから光を透過して赤色に発光するため、その周辺の第１色着色領域７４の赤色との差異が小さく、第１表示領域７３の「カッパ」は明瞭には表示されない。一方、第２表示領域７５が第１色発光素子３５ａから光を透過して赤色に発光するのに対して、この第２表示領域７５の周辺では第１色着色領域７４との重なる第２色着色領域７６が暗部８１となるため、第２表示領域７５の「確定」を明瞭に発光表示することができる。
【００７２】
また第２色発光素子３５ｂが第２色の緑色で発光したときには、第２表示領域７５が第２色発光素子３５ｂから光を透過して緑色に発光するため、その周辺の第２色着色領域７６の緑色との差異が小さく、第２表示領域７５の「確定」は明瞭には表示されない。一方、第１表示領域７３が第２色発光素子３５ｂから光を透過して緑色に発光するのに対して、この第１表示領域７３の周辺では第１色着色領域７４の赤色に第２色発光素子３５ｂの緑色の光が重なるため、第１表示領域７３の「カッパ」を明瞭に発光表示することができる。
【００７３】
以上、本発明の各実施例について詳述したが、本発明はこの各実施例に限定されるものではなく、本発明の趣旨を逸脱しない範囲で種々の変更が可能である。例えば、実施例では、第１発光素子３５ａ，３５ｂは２種類としているが、これは１種類でもよいし、３種類以上でもよい。各発光素子は発光ダイオードが一般的であるが、発光ダイオード以外のものでもよい。
【００７４】
一回の予告演出時に第１発光素子３５ａ，３５ｂ、第２発光素子４０の何れか一方が連続発光又は点滅発光するようにしてもよいし、両者が交互に点滅発光するようにしてもよい。勿論、第１発光素子３５ａ，３５ｂからの光がハーフミラー３４を通過するのであれば、第１発光素子３５ａ，３５ｂと第２発光素子４０との個別発光又は交互発光と組み合わせて、両発光素子３５ａ，３５ｂ，４０を同時に発光させてもよい。
【００７５】
光透過体３７はその前面又は裏面に彫刻により第１表示部３６が付された彫刻体を使用してもよいし、前面又は裏面に第１表示部３６が印刷等で付されたものを使用してもよい。また発光色の異なる複数種類の第１発光素子３５ａ，３５ｂを設ける場合、又は複数種類の発光色で発光可能な第１発光素子を設ける場合に、表示シート５９はその一部の発光色と同系色にしてもよい。例えば、赤色発光の第１発光素子３５ａと青色発光の第１発光素子３５ｂとを設ける場合には、表示シート５９は発光色と同系の赤色又は青色にすることもできる。
【００７６】
光透過体３７の第１表示部３６と表示シート５９の第２表示部６０は前後に略中心部等の重なるように配置してもよいし、重ならないように配置してもよい。重ならないように配置し、又は一部が重なるように配置する場合にも、その第１表示部３６と第２表示部６０は並べて設けてもよいし、一方を外側に配置し、他方を内側に配置する等、内外に配置してもよい。またハーフミラー３４の裏面の一部に、裏面から前面への光を遮光する遮光領域を設けてもよい。
【００７７】
例えば光透過体３７の第１表示部３６に対応してハーフミラー３４の裏面に遮光領域を設ければ、遮光領域で第１表示部３６を発光表示しながら、遮光領域の外周で第１発光素子３５ａ，３５ｂにより発光表示することができる。
【００７８】
この場合、第２表示部６０は遮光領域の外側に配置すればよい。また逆に第２表示部６０を中心側に、第１表示部３６、遮光領域を外周側に配置してもよい。要するに第１表示部３６、遮光領域は前後に対応して配置し、これらから外れた位置に第２表示部６０を配置すればよい。
【００７９】
ハーフミラー３４と表示シート５９とを併用する場合、通常はハーフミラー３４の裏側に表示シート５９を配置するのが一般的であるが、他のものを覆う目的でハーフミラー３４を使用する場合には、ハーフミラー３４の前面側にその一部に対応して表示シート５９を配置するようにしてもよい。
【００８０】
各実施例では第１発光表示手段２５を遊技盤１０の前飾り枠２２に設け、この第１発光表示手段２５により大当たりの予告演出を行うようにしているが、前飾り枠２２以外の位置で遊技盤１０に設けてもよいし、ガラス扉５の前面、更には球供給皿８の前面等に設けてもよいし、予告演出以外の演出、例えば大当たり演出等に利用してもよい。
【００８１】
更に第１発光表示手段２５はアレンジボール機、雀球遊技機等の弾球遊技機は勿論のこと、スロットマシン等の各種の遊技機においても同様に実施可能である。また遊技機の他、遊技ホールにおいて遊技機を設置する島側の各種の発光表示装置にも採用することが可能である。
【符号の説明】
【００８２】
２５  第１発光表示手段
３４  ハーフミラー
３５ａ，３５ｂ，３５  第１発光素子
３６  第１表示部
３７  光透過体
４０  第２発光素子
５９  表示シート
７１  拡散シート
【図１】
2010187818.tif 000003
【図２】
2010187818.tif 000004
【図３】
2010187818.tif 000005
【図４】
2010187818.tif 000006
【図５】
2010187818.tif 000007
【図６】
2010187818.tif 000008
【図７】
2010187818.tif 000009
【図８】
2010187818.tif 000010
【図９】
2010187818.tif 000011
【図１０】
2010187818.tif 000012
【図１１】
2010187818.tif 000013
【図１２】
2010187818.tif 000014
【図１３】
2010187818.tif 000015
【図１４】
2010187818.tif 000016
【図１５】
2010187818.tif 000017
【図１６】
2010187818.tif 000018
【図１７】
2010187818.tif 000019
【図１８】
2010187818.tif 000020
【図１９】
2010187818.tif 000021
【図２０】
2010187818.tif 000022
【図２１】
2010187818.tif 000023